(57)【要約】【課題】デジタル信号を記録する記録再生装置において、装置内部に記録されたコンテンツを外部記録媒体に書き出す場合に、圧縮変換することなく、高速にムーブを行うことを可能とする。【解決手段】デジタル信号を受信するアンテナ１１と、受信した信号をトランスポートストリームに変換するチューナ・復調器１２とトランスポートストリームに含まれる高解像度のデータ部と携帯端末用のデータ部を記録する記憶領域１５とを備え、記録領域１５に記録されているコンテンツをムーブする場合、暗号・復号処理部１７は、携帯端末用のデータ部に対して、ローカル暗号・復号処理部１４で複合処理を実施後、外部記憶媒体１２０の固有情報を利用して、その固有情報を利用しなければ再生することができない状態に変更し、記録を行うことで、高速にムーブ処理を行う。【選択図】図１
2008257768.tif 000002
【特許請求の範囲】
【請求項１】
同一の内容を有する情報量の異なる複数のストリームを受信する受信手段と、記録再生装置固有の情報で、前記受信手段で受信したストリームを暗号化する第１の暗号化手段と、前記第１の暗号化手段で暗号化されたストリームを記憶する記憶手段と、前記記憶手段で記憶されたストリームを管理する管理手段と、前記記憶手段に記憶されたストリームを一時記憶媒体にムーブさせる場合に、前記記憶手段に記憶された一時記憶媒体での利用に最適な特定ストリームのみを復号化する復号化手段と、一時記憶媒体固有の情報で、前記復号化手段で復号化されたストリームを暗号化する第２の暗号化手段と、前記第２の暗号化手段で暗号化されたストリームを一時記憶媒体にムーブするムーブ手段と、前記ムーブ手段によって前記第２の暗号化手段で暗号化されたストリームが一時記憶媒体にムーブされた場合に、前記記憶手段に記憶された同一の内容を有するストリームを利用禁止にする禁止手段を備えることを特徴とする記録再生装置。
【請求項２】
前記禁止手段は、同一の内容を有する情報量の異なる複数のストリームを削除する削除手段を備えることを特徴とする、請求項１記載の記録再生装置。
【請求項３】
前記禁止手段は、該ムーブ情報を管理する管理手段と、前記管理手段で管理された一時記憶媒体の固有の情報を用いて該ストリームを利用禁止状態にする利用禁止状態手段と、一時記憶媒体との認証を行うことで、前記利用禁止状態手段で利用禁止状態にされた記録再生装置のストリームを再度利用可能にする利用可能手段を備えることを特徴とする、請求項１記載の記録再生装置。
【請求項４】
同一の内容を有する情報量の異なる複数のストリームを受信する受信ステップと、記録再生装置固有の情報で、前記受信ステップで受信したストリームを暗号化する第１の暗号化ステップと、前記第１の暗号化ステップで暗号化されたストリームを記憶する記憶ステップと、前記記憶ステップで記憶されたストリームを管理する管理ステップと、前記記憶ステップで記憶したストリームを一時記憶媒体にムーブさせる場合に、前記記憶ステップで記憶した一時記憶媒体での利用に最適な特定ストリームのみを復号化する復号化ステップと、一時記憶媒体固有の情報で、前記復号化ステップで復号化されたストリームを暗号化する第２の暗号化ステップと、前記第２の暗号化ステップで暗号化されたストリームを一時記憶媒体にムーブするムーブステップと、前記ムーブステップによって前記第２の暗号化ステップで暗号化されたストリームが一時記憶媒体にムーブされた場合に、前記記憶ステップに記憶された同一の内容を有するストリームを利用禁止にするステップとを含む記録再生方法。
【請求項５】
請求項４に記載の記録再生方法を実行させるプログラム。
【発明の詳細な説明】
【技術分野】
【０００１】
本発明は、例えばハードディスクレコーダやＤＶＤレコーダ等の情報記録装置及び方法、情報再生装置及び方法、並びにコンピュータをこのような情報記録装置等として機能させるコンピュータプログラムの技術分野に関する。
【背景技術】
【０００２】
近年、携帯電話やＰＤＡ、カーナビゲーションなど、容易にデジタルコンテンツを記録、再生ができる情報端末（以下、「携帯情報端末」という。）が普及してきた。携帯情報端末は、フラッシュメモリなどの不揮発性メモリを備えた汎用のメモリカード（例えば、ＳＤカード、メモリスティック等）に映像や音声などのデジタルコンテンツを保存し、携帯情報端末でそのコンテンツを視聴することが可能である。
【０００３】
このようなデジタルコンテンツは元の画質や音質を維持したまま何度もコピーを繰り返すことができるので、コンテンツの著作権者や販売権者等の利益が侵害されるおそれがある。そのため、違法なコピーを防止するための様々な仕組みが導入されている。例えば、地上デジタル放送やＢＳデジタル放送では、放送されたコンテンツを一度のみ記録可能とするコピーワンス機能が導入されている。コピーワンスの識別子が付加されたデジタル放送信号は、ハードディスクレコーダやＤＶＤレコーダなどのデジタル録画機で録画した場合、他にコピーすることは許されない。他のメディアへコンテンツを書き込む際には、元のコンテンツは削除しなければならない。この削除を前提とした他のメディアへのコンテンツの書き込みをムーブ（移動）という。
【０００４】
ハードディスクレコーダやＤＶＤレコーダなどの据え置き型のデジタル録画機は、その
主な用途が家庭内で利用することであるため、比較的大画面・高音質の記録再生が求められる。そのため、据え置き型のデジタル録画機では、ハードディスクやＤＶＤなどの記憶容量の大きな記憶装置が利用されており、コンテンツも高画質なフォーマットが採用され、一般に高ビットレートである。
【０００５】
他方、携帯情報端末は、メモリカードなどの記録メディアにコンテンツを保存し、携帯
して利用することが前提であるため、比較的小さな表示装置でコンテンツを表示し、バッ
テリで駆動され、低消費電力化が求められる。そのため、携帯情報端末に記録されるコン
テンツは、画質や音質を抑えた圧縮フォーマット（たとえばＭＰＥＧ４やＨ．２６４）が採用され、一般に低ビットレートである。
【特許文献１】特開２００６−１０７１６５号公報
【発明の開示】
【発明が解決しようとする課題】
【０００６】
しかしながら、通常はハードディスクレコーダやＤＶＤレコーダなどの据え置き型のデジタル録画機に多くのコンテンツを蓄積した後で所望のコンテンツをメモリカードにムーブして屋外で利用する場合が多い。その場合、ムーブのルールが適用されるため、ＨＤＤのコンテンツは削除しなければならなく、メモリカードにムーブする際、コンテンツはＨＤＤに記録されていたときよりも低いビットレートの圧縮フォーマットに変換する必要があり、一般的にはコンテンツの再生時間と同等の時間がかかる。また、変換中はデコーダ、エンコーダ等のハードウェアリソースを占有してしまうため、他のコンテンツの再生、録画が出来ない等の問題が発生する。
【０００７】
本発明は、かかる点に鑑みてなされたものであり、その目的とするところは、ムーブ処理中にデコーダ、エンコーダ等のハードウェアリソースを占有することなく、高速なムーブ処理を可能とすることを目的とする。
【課題を解決するための手段】
【０００８】
上記課題を解決し上記目的を達成するために、本発明の第１の観点に係る記録再生装置は、同一の内容を有する情報量の異なる複数のストリームを受信する受信手段と、
記録再生装置固有の情報で、前記受信手段で受信したストリームを暗号化する第１の暗号化手段と、第１の暗号化手段で暗号化されたストリームを記憶する記憶手段と、記憶手段で記憶されたストリームを管理する管理手段と、記憶手段に記憶されたストリームを一時記憶媒体にムーブさせる場合に、記憶手段に記憶された一時記憶媒体での利用に最適な特定ストリームのみを復号化する復号化手段と、一時記憶媒体固有の情報で、復号化手段で復号化されたストリームを暗号化する第２の暗号化手段と、第２の暗号化手段で暗号化されたストリームを一時記憶媒体にムーブするムーブ手段と、ムーブ手段によって第２の暗号化手段で暗号化されたストリームが一時記憶媒体にムーブされた場合に、記憶手段に記憶された同一の内容を有するストリームを利用禁止にする禁止手段を備えることを特徴とする。禁止手段は、同一の内容を有する情報量の異なる複数のストリームを削除する削除手段を備えることでムーブのルールを遵守することが好ましい。
【０００９】
禁止手段は、該ムーブ情報を管理する管理手段と、管理手段で管理された一時記憶媒体の固有の情報を用いて該ストリームを利用禁止状態にする利用禁止状態手段と、一時記憶媒体との認証を行うことで、利用禁止状態手段で利用禁止状態にされた記録再生装置のストリームを再度利用可能にする利用可能手段を備えることでムーブのルールを遵守することが好ましい。
【００１０】
上記課題を解決し上記目的を達成するために、本発明の第２の観点に係る記録再生方法は、同一の内容を有する情報量の異なる複数のストリームを受信する受信ステップと、記録再生装置固有の情報で、受信ステップで受信したストリームを暗号化する第１の暗号化ステップと、第１の暗号化ステップで暗号化されたストリームを記憶する記憶ステップと、記憶ステップで記憶されたストリームを管理する管理ステップと、記憶ステップで記憶したストリームを一時記憶媒体にムーブさせる場合に、記憶ステップで記憶した一時記憶媒体での利用に最適な特定ストリームのみを復号化する復号化ステップと、一時記憶媒体固有の情報で、復号化ステップで復号化されたストリームを暗号化する第２の暗号化ステップと、第２の暗号化ステップで暗号化されたストリームを一時記憶媒体にムーブするムーブステップと、ムーブステップによって第２の暗号化ステップで暗号化されたストリームが一時記憶媒体にムーブされた場合に、記憶ステップに記憶された同一の内容を有するストリームを利用禁止にするステップを有することを特徴とする。
【発明の効果】
【００１１】
本発明は、情報量の異なる複数のストリームをあらかじめ記憶、管理しているため、ムーブ処理時には、デコーダ、エンコーダなどのハードウェアリソースを使用する必要がなく、高速なムーブを実現することが可能である。
【発明を実施するための最良の形態】
【００１２】
（実施の形態）
以下に、本発明を実施するための最良の形態について、図面を参照して説明する。先ず、本実施の形態の記録再生装置１００の構成を、図１を用いて説明する。
【００１３】
図１  は、本実施の形態の記録再生装置１００の構成を示すブロック図である。本実施の形態では、記録再生装置１００は据え置き型のハードディスクレコーダである。記録再生装置１００は、他の機器（ＰＣやＤＶＤレコーダ）などであっても良い。
記録再生装置１００は、アンテナ１１によってデジタル放送局からのデジタル信号（放送電波信号）を処理し、映像及び音声をディスプレイ・スピーカ１１０より再生する。外部記録媒体１２０は半導体メモリを使用したメモリカード（ＳＤメモリーカード）のほか小型のＨＤＤなどであってもよく、著作権対応されている必要がある。
【００１４】
次に、記録再生装置１００  の各構成部等の機能について説明する。アンテナ１１  は、デジタル放送局からのデジタル信号（  放送電波信号）  を受信する受信アンテナである。アンテナ１１  は、デジタル信号を受信すると、受信した信号をチューナ・復調器１２に供給する。
【００１５】
チューナ・復調器１２は、アンテナ１１  によって受信された全てのチャンネルの放送信号の中から、利用者によって指定された特定のチャンネル（コンテンツ）の放送信号（特定の周波数の、多重化された放送信号の中から抽出された１つの放送信号）を取り出し、ベースバンド信号に復調し、トランスポートストリーム（  以下、「ＴＳ」という。）  を生成し、ＴＳデコーダ１３に出力する。本実施の形態では、ＴＳデコーダ１３が受信するＴＳは、ＭＰＥＧ２−ＴＳ形式のストリームである。デジタル放送局から送られてくるデジタル信号は、図５の１チャンネル分の帯域６００に示すように１つのチャンネルをセグメントという単位で分割しており、１２セグメントは固定受信向けの放送６０１、１セグメントは携帯端末向けの補完放送（ワンセグ）６０２の構成になっており、同一の内容が含まれている。
【００１６】
ＴＳデコーダ１３  は、無効パケットを省いて、コンテンツ圧縮データ（Ａ）、コンテンツ圧縮データ（Ｂ）を生成する。本実施の形態では、コンテンツ圧縮データ（Ａ）は固定受信向けの放送であり、コンテンツ圧縮データ（Ｂ）は、携帯端末向けの補完放送（ワンセグ）であり、情報量は異なるが同一の内容である。地上波デジタル放送信号に含まれる映像データ及び音声データは、それぞれ圧縮され、誤り訂正符号化され、スクランブルされている。ＴＳデコーダ１３は、受信された映像圧縮データ及び音声圧縮データを、それぞれデスクランブルし、誤り訂正復号化する。ＴＳデコーダ１３は、生成したコンテンツ圧縮データ（Ａ）、コンテンツ圧縮データ（Ｂ）をローカル暗号・復号処理部１４に伝送する。
【００１７】
ＲＯＭ領域１８  には、記録再生装置１００  の固有情報が記録されている。この固有情報はこの記録再生装置１００  特有の情報であり、同一の情報を持った機器は他に存在しない。また、この情報は読み取ることはできても、書き換えることができない情報である。
【００１８】
ローカル暗号・復号処理部１４は、ＲＯＭ領域１８の固有情報を取得し、その固有情報を使用してＴＳデコーダ１３から受け取ったコンテンツ圧縮データ（Ａ）、コンテンツ圧縮データ（Ｂ）を暗号化して再生不能化コンテンツ圧縮データ（Ａ１）３１、再生不能化コンテンツ圧縮データ（Ｂ１）３２  を作成し、記録領域１５へ送信する。
【００１９】
ローカル暗号・復号処理部１４は、ＲＯＭ領域１８の固有情報を取得し、その固有情報を使用して記録領域１５から受け取った再生不能化されたコンテンツ圧縮データ（Ａ１）３１を、その固有情報を使用し再活性化して、コンテンツ圧縮データ（Ａ）として再生処理部１６に送る。
【００２０】
ローカル暗号・復号処理部１４は、ＲＯＭ領域１８の固有情報を取得し、その固有情報を使用して記録領域１５から受け取った再生不能化されたコンテンツ圧縮データ（Ｂ１）３２を、その固有情報を使用し再活性化して、コンテンツ圧縮データ（Ｂ）として、暗号・復号処理部１７に送る。
【００２１】
記録領域１５はローカル暗号・復号処理部１４から受け取った再生不能化コンテンツ圧縮データ（Ａ１）３１、再生不能化コンテンツ圧縮データ（Ｂ１）３２とそれらを管理するための情報であるコンテンツ管理情報３０とを保存することができる領域である。記録領域１５は記録と合わせて、必要に応じて読み出しも行うことができる。本実施の形態においては、記録領域１５はハードディスクドライブである。記録領域１５は、ローカル暗号・復号処理部１４から受け取った再生不能化されたコンテンツ圧縮データとコンテンツ管理情報３０とを保存し、読み出し要求があった場合、保存していた再生不能化されたコンテンツ圧縮データをローカル暗号・復号処理部１４に出力する。
【００２２】
再生処理部１６はＴＳデコーダ１３またはローカル暗号・復号処理部１４から圧縮されたコンテンツデータを受け取り、視聴可能なデータとしてデコード（復号）してディスプレイ・スピーカに出力する。
【００２３】
ＲＯＭ領域１９には、記録再生装置１０の固有情報が記録されている。この固有情報はこの記録再生装置１１０  特有の情報であり、同一の情報を持った機器は他に存在しない。また、この情報は読み取ることはできても、書き換えることができない情報である。
【００２４】
暗号・復号処理部１７は、外部記録媒体１２０のＲＯＭ  領域１９内にある外部記録媒体１２０  の固有情報を取得し、その固有情報を使用してローカル暗号・復号処理部１４から受け取ったコンテンツ圧縮データ（Ｂ）を暗号化して再生不能化コンテンツ圧縮データ（Ｂ２）  を作成し、外部記録媒体１２０へ送信する。
【００２５】
本実施の形態では再生不能化するために暗号を用い暗号化している。また、再活性化させるために復号化する。この暗号化と復号化のプロセスについては特に限定はしない。
【００２６】
次に、本実施の形態の記録再生装置１００の動作を、図２〜４を用いて説明する。
【００２７】
図２は、記録再生装置１００  が受信したデジタル放送信号を、記録領域１５に記録する際の動作の各手順を示すフローチャートである。
【００２８】
先ず、利用者は、自身が見たい放送チャンネルをチューナにセットする（ステップ３０  １）  。アンテナ１１  はデジタル放送信号を受信し（ステップ３０２）  、チューナ・復調器１２は、放送信号から利用者が希望する放送チャンネルのＴＳを生成する（ステップ３０３）  。ＴＳデコーダ１３は、生成されたＴＳをデコードして、固定受信向けのコンテンツ圧縮データ（Ａ）及び携帯端末向けの補完放送（ワンセグ）であるコンテンツ圧縮データ（Ｂ）を生成する（ステップ３０４）。
【００２９】
ローカル暗号・復号処理部１４は、ＲＯＭ領域１８の固有情報を取得し、その固有情報を使用してＴＳデコーダ１３から受け取ったコンテンツ圧縮データ（Ａ）、コンテンツ圧縮データ（Ｂ）を暗号化して再生不能化コンテンツ圧縮データ（Ａ１）、再生不能化コンテンツ圧縮データ（Ｂ１）を記録領域１５に作成する（ステップ３０５）。
また、再生不能化コンテンツ圧縮データ（Ａ１）、再生不能化コンテンツ圧縮データ（Ｂ１）  を作成すると同時に、再生不能化コンテンツ圧縮データ（Ａ１）、再生不能化コンテンツ圧縮データ（Ｂ１）を管理するコンテンツ管理情報３０を記録領域１５に作成する（ステップ３０６）。
【００３０】
図３は、図２の処理で録画が完了し、記録再生装置１００に保存された録画データを高速に外部記録媒体１２０にムーブするための手順を示したフローチャートである。なお、後述するが、外部記録媒体１００  に実際に書き出されるデータは、コンテンツ圧縮データ（Ａ）そのものではなく、携帯端末向けの補完放送（ワンセグ）である、コンテンツ圧縮データ（Ｂ）を暗号化した再生不能化コンテンツ圧縮データ（Ｂ２）である。
【００３１】
まず、外部記録媒体１２０を記録再生装置１００に挿入する。ユーザによりムーブをするコンテンツを選択する（ステップ４０１）。記録領域１５のコンテンツ管理情報３０を確認して、これからムーブを行うコンテンツについて、携帯端末向けの補完放送（ワンセグ）である再生不能化コンテンツ圧縮データ（Ｂ２）が記録領域１５に保存されていることと、すでにムーブされていないことを確認する（ステップ４０２）。
【００３２】
ローカル暗号／  復号処理部１４は、ＲＯＭ領域１８から固有情報を取得し、再生不能化コンテンツ圧縮データ（Ｂ１）の暗号化を解除し（ステップ４０３）、暗号／  復号処理部１７にコンテンツ圧縮データ（Ｂ）として送信する。
【００３３】
暗号／  復号処理部１７は、外部記録媒体１２０の固有情報を用いてコンテンツ圧縮データ（Ｂ）を暗号化し、それによりコンテンツ圧縮データ（Ｂ）  を再生不能化し、再生不能化コンテンツ圧縮データ（Ｂ２）  を作成し（  ステップ４０４  ）  、記録再生装置１２０  （  ステップ４０５  ）  に保存する。
【００３４】
最後に、記憶領域１５のコンテンツ管理情報３０には、コンテンツ圧縮データ（Ａ）はムーブ済みであるフラグをセットし、再生できない状態にする。記録再生装置１００と外部記録媒体１２０  には同じ内容のコンテンツが存在しているので技術的にはコピーになるが、ムーブ後は、記録再生装置１００では再生を禁止するため、利用者及び著作権保持者にとってはムーブと等価の利用方法となる。
【００３５】
記録再生装置１００で再び視聴することがない場合は、再生不能化コンテンツ圧縮データ（Ａ１）、再生不能化コンテンツ圧縮データ（Ｂ１）の消去、及びコンテンツ管理情報３０の情報を消去することで、一般的なムーブの動作としてもよい。
【００３６】
この手順により記録再生装置１００に記録されていたコンテンツ（実際には再生不能化コンテンツ圧縮データ（Ｂ１））をデコーダ、エンコーダ等のハードウェアリソースを占有することなく、高速に外部記録媒体１２０へ書き出させる処理が完了した。
【００３７】
図４は図３の手順で外部記録媒体１２０にムーブしたコンテンツを、記録再生装置１００にムーブ解除（番組データの無効化を解除）する手順を説明するフローチャートである。まず、外部記録媒体１２０を記録再生装置１００に挿入する。ユーザによりムーブ解除するコンテンツを選択する（ステップ５０１）。記録領域１５のコンテンツ管理情報３０を確認して、これからムーブ解除を行うコンテンツの外部記憶媒体１２０の固有情報を取得する（ステップ５０２）。コンテンツ管理情報３０に記載された情報と外部記憶媒体１２０の固有情報とが同じであることを確認し（ステップ５０３）、記録再生装置１００の管理情報に記録されたムーブ済み情報のフラグの解除と外部記録媒体１２０  に保存された再生不能化コンテンツ圧縮データ（Ｂ２）の削除を行う（ステップ５０４）。以上の処理で、ムーブにより再生が禁止されたコンテンツに対して、再生可能な状態に高速に戻すことが可能となる。
【００３８】
上記実施形態では、外部記録媒体１２０の例としてＳＤメモリカードを示したが、その他、メディアに固有な情報を持つ記録メディアを用いることにより、本発明を実現することが可能である。
【産業上の利用可能性】
【００３９】
本発明にかかる記録再生装置は、デジタルテレビ放送を一旦保存した後で、そのコンテンツを外部記録媒体に高速にムーブして携帯端末などでの視聴を可能とし、携帯端末での視聴が不要になった場合に、そのコンテンツを高速にムーブ解除し、記録再生装置での高画質・高音質で視聴することを再度可能にする場合に有用である。
【図面の簡単な説明】
【００４０】
【図１】本発明の実施形態に係る記録再生装置の構成を示す図
【図２】図１の記録再生装置が行う録画処理の内容を示すフローチャート
【図３】図１の記録再生装置が行う外部記録媒体へのムーブ処理の内容を示すフローチャート
【図４】図１の記録再生装置が行うムーブ解除処理の内容を示すフローチャート
【図５】図１の記録再生装置が受信するデジタル信号の一例図
【符号の説明】
【００４１】
１１    アンテナ
１２    チューナ・復調器
１３    Ｔ  Ｓ  デコーダ
１４    ローカル暗号・複合処理部
１５    記録領域
１６    再生処理部
１７    暗号・復号処理部
１８    ＲＯＭ領域（記録再生装置側）
１９    ＲＯＭ領域（外部記録媒体側）
１００    記録再生装置
１１０    ディスプレイ・スピーカ
１２０    外部記録媒体
６００    １チャンネル分の帯域
６０１    固定受信向けの放送
６０２    補完放送（ワンセグ）
６１０    携帯情報端末
６２０    固定受信機
【図１】
2008257768.tif 000003
【図２】
2008257768.tif 000004
【図３】
2008257768.tif 000005
【図４】
2008257768.tif 000006
【図５】
2008257768.tif 000007